(57)【要約】  本発明の課題は、貼付材の取扱性を向上させ、適用部位への貼付後に支持体層に密着させたキャリア層を剥離しやすい貼付材を提供することである。本発明は、貼付材（２）と、その上側を覆う取り口テープ（７）とから構成される貼付製品（１）であって、該貼付材（２）は、支持体（４）と該支持体（４）の一方側の表面上に設けられた粘着剤層（３）とを備える略短冊形態の粘着テープ（１０）と、該粘着剤層（３）に貼着され且つ前記支持体（４）よりも長尺である剥離ライナー（５）と、該支持体（４）の粘着剤層（３）側とは反対側の表面に密着されたキャリアフィルム（６）とを備えてなり、一方、前記取り口テープ（７）が、テープ支持体（９）と、その表面上に設けられた粘着剤層（８）とを備え、該テープ（７）が前記キャリアフィルム（６）に貼着され、好ましくは前記キャリアフィルム（６）及び前記剥離ライナー（５）の双方に貼着されており、そして、前記キャリアフィルム（６）の一方側の端部は前記粘着テープ（１０）の支持体（４）の表面に密着しておらず、該支持体（４）から剥離した非密着端部（６ａ）が形成されている。
2017170956.tif 000002
【特許請求の範囲】
【請求項１】
貼付材と、その上側を覆う取り口テープとから構成される貼付製品であって、該貼付材は、支持体と該支持体の一方側の表面上に設けられた粘着剤層とを備える略短冊形態の粘着テープと、該粘着剤層に貼着され且つ前記支持体よりも長尺である剥離ライナーと、該支持体の粘着剤層側とは反対側の表面に密着されたキャリアフィルムとを備えてなり、一方、前記取り口テープが、テープ支持体と、その表面上に設けられた粘着剤層とを備え、該テープが前記キャリアフィルムに貼着されており、そして、前記キャリアフィルムの一方側の端部は前記粘着テープの支持体の表面に密着しておらず、該支持体から剥離した非密着端部が形成されていることを特徴とする、貼付製品。
【請求項２】
前記取り口テープが、前記キャリアフィルム並びに前記剥離ライナーに貼着されてなる、請求項１に記載の貼付製品。
【請求項３】
前記取り口テープが、その中央部において前記キャリアフィルムに貼着され、かつ該テープの両端部において前記剥離ライナーに貼着されてなる、請求項２に記載の貼付製品。
【請求項４】
前記粘着テープの支持体が、ポリオレフィンフィルムからなり、前記キャリアフィルムが、ポリエステルフィルムからなる、請求項１乃至請求項３のうち何れか一項に記載の貼付製品。
【請求項５】
前記粘着テープの粘着剤層並びに取り口テープの粘着剤層が、ゴム系粘着剤を含む、請求項１乃至請求項４のうち何れか一項に記載の貼付製品。
【請求項６】
前記キャリアフィルムの全面積に対する前記非密着端部の面積の割合が、１％乃至５０％である、請求項１乃至請求項５のうち何れか一項に記載の貼付製品。
【発明の詳細な説明】
【技術分野】
【０００１】  本発明は、医療、衛生分野において用いられる貼付材に関する。
【背景技術】
【０００２】  従来より、医療および衛生分野における対ヒト用の貼付材が種々提案されている。これら貼付材は、基本的には皮膚に貼付する粘着剤層、粘着剤層を支持する支持体、そして貼付するまで粘着剤層を保護する剥離層などの複数の層からなる積層体で構成され、使用目的や適用部位、被貼付面（皮膚）への貼付時における皮膚刺激や違和感の有無、皮膚への付着性並びに皮膚の伸縮時や屈曲面への追従性などを様々に考慮して、各層の構成が検討・選択されている。【０００３】  例えば皮膚に順応しうるフィルム材（支持体）の粘着剤層とは反対側の面に、フィルム材（キャリア層）と粘着剤層および基材からなる剥離可能な裏打ち層を積層し、使用時において該剥離可能な裏打ち層を剥離することにより、皮膚に順応しうるフィルム材（支持体）からフィルム材（キャリア層）を容易に剥離することができる粘着性フィルムおよびシートが提案されている（特許文献１）。  また、粘着剤層を有する柔軟性の基材の表面にキャリアシートを密着させた貼付材（特許文献２）や、粘着剤層を有するフィルム（基材）の表面にバッキングフィルムを設け、これにグリップストリップを貼着させたバンデージ材（特許文献３）なども提案されている。
【先行技術文献】
【特許文献】
【０００４】
【特許文献１】特開２００７−０２０６６５号公報
【特許文献２】実用新案登録第３１８７２６６号公報
【特許文献３】米国特許第６，４９５，２３０号明細書
【発明の概要】
【発明が解決しようとする課題】
【０００５】  従来提案されてきた貼付材において、例えば皮膚貼付時において皮膚刺激や違和感を低減するべく、貼付材の各層の厚みをより薄い構成とすることや、伸縮性に富む材料で構成することが行われているが、このように構成された貼付材は貼付する際に曲がり易く目的の箇所に貼り難いこと、また貼付した際に貼付材にシワが入るなど綺麗に貼り難いことなどが課題となる。このように貼付材、特に支持体の取扱性が低下している場合には、前述した特許文献１に挙げるようなキャリア層を設けることで支持体の取り扱い性を向上させることが行われている。キャリア層は支持体の粘着剤層が設けられている面とは反対の面に設けられ、支持体がキャリア層に仮着していることで、貼付材の取扱性、被貼付面への貼付性を向上させることができる。  しかし、支持体にキャリア層が仮着した状態で適用部位の形状に対応して貼付するには、キャリア層自体もある程度薄い層であることが必要であり、その場合、依然として貼付材の総厚が薄いため、貼付材の使用時において剥離層を剥がしにくいこと、特に、適用部位に貼付した後、支持体からキャリア層を剥がし難いことなどが問題となる。【０００６】  本発明は、薄層から構成される貼付材の取扱性を向上させるとともに、支持体層の取扱性を向上すべく密着させたキャリア層を、適用部位への貼付後に剥離しやすい貼付材を提供することを課題とする。
【課題を解決するための手段】
【０００７】  本発明者らは、前記課題を解決するために鋭意研究を行い、特に貼付材の取扱性（剥離ライナーの剥離のし易さ、貼付材の貼りやすさ）の向上を実現するとともに、キャリアフィルム（キャリア層）が支持体表面から剥離しやすい貼付材の構成を検討した。  そしてその結果、キャリアフィルムの上に、取り口テープを貼着させることにより、貼付材の使用時における剥離ライナーからの剥がし易さや、適用部位への貼り易さといった貼付材の取扱性を向上させるとともに、キャリアフィルムの一部を支持体の表面から剥離させておくことにより、適用部位への貼付後において、支持体からキャリアフィルムの剥がしにくさを改善できることを見出し、本発明を完成させた。【０００８】  すなわち本発明は、貼付材と、その上側を覆う取り口テープとから構成される貼付製品であって、該貼付材は、支持体と該支持体の一方側の表面上に設けられた粘着剤層とを備える略短冊形態の粘着テープと、該粘着剤層に貼着され且つ前記支持体よりも長尺である剥離ライナーと、該支持体の粘着剤層側とは反対側の表面に密着されたキャリアフィルムとを備えてなり、一方、前記取り口テープが、テープ支持体と、その表面上に設けられた粘着剤層とを備え、該テープが少なくとも前記キャリアフィルムに貼着されており、そして、前記キャリアフィルムの一方側の端部は前記粘着テープの支持体の表面に密着しておらず、該支持体から剥離した非密着端部が形成されていることを特徴とする、貼付製品に関する。【０００９】  本発明によれば、更に以下の実施態様が提供される。［１］前記取り口テープが、前記キャリアフィルム並びに前記剥離ライナーに貼着されてなる、前記貼付製品。［２］前記取り口テープが、その中央部において前記キャリアフィルムに貼着され、かつ該テープの両端部において前記剥離ライナーに貼着されてなる、前記貼付製品。［３］前記粘着テープの支持体が、ポリオレフィンフィルムからなり、前記キャリアフィルムが、ポリエステルフィルムからなる、前記貼付製品。［４］前記粘着テープの粘着剤層並びに取り口テープの粘着剤層が、ゴム系粘着剤を含む、前記貼付製品。［５］前記キャリアフィルムの全面積に対する前記非密着端部の面積の割合が、１％乃至５０％である、前記貼付製品。
【発明の効果】
【００１０】  本発明の貼付製品は、長尺の剥離ライナーと取り口テープとを採用し、そしてキャリアフィルム上に、前記取り口テープを貼着した構成を為すことにより、粘着テープが擬似的に厚みが増したテープとなり、掴み易くなることから、貼付材の使用時において、粘着テープを剥離ライナーから容易に剥がすことができる。さらに剥離ライナーを剥離した粘着テープは、キャリアフィルムを介して取り口テープを貼着してなることで前述したように厚みが増し掴み易くなることから、適用部位への貼り易さ、特に顔面や背面など、自身の視界に入り難く貼り難い身体部位への貼り易さを向上させることができる。  特に本発明の貼付製品において、前記取り口テープをキャリアフィルム並びに剥離ライナーの双方に貼着させた構成をなすことで（例えば取り口テープとしてキャリアフィルムより長尺なテープを採用した場合において）、貼付材の使用時において、取り口テープを掴んで剥離ライナーから剥がし、さらに該取り口テープを掴んだまま引き上げることで、粘着テープを剥離ライナーからより容易に剥がすことができる。また長尺な取り口テープをキャリアフィルムを介して貼着してなる本構成においては、剥離ライナーを剥離した粘着テープは、擬似的にサイズが大きいものとなり、取り口テープを持ち手とすることにより、適用部位への貼り易さ、特に上記したような貼り難い身体部位への貼り易さを、より一層向上させることができる。  さらに本発明の貼付製品において、キャリアフィルムの端部に、支持体の表面から剥離させた非密着端部を形成することにより、適用部位への貼付後に、非密着端部が形成された側から取り口テープを掴んで引き上げることにより、粘着テープの支持体からキャリアフィルムをより容易に剥がすことが可能となる。  さらに本発明の貼付製品は衛生面において優れたものとすることができ、特に好ましい態様において、取り口テープをキャリアフィルム並びに剥離ライナーの双方に貼着させた構成をなすことで、粘着テープの支持体や粘着剤面の直接触れることなく適用部位に貼付できるため、さらに衛生面において優れた貼付製品とすることができる。
【図面の簡単な説明】
【００１１】
【図１】図１は本発明の一実施態様を示す図であって、貼付製品の長手方向における断面図を示す図である。
【図２】図２は本発明の一実施態様を示す図であって、貼付製品の長手方向における断面図を示す図である。
【発明を実施するための形態】
【００１２】  以下、本発明の好ましい態様を示す図面を挙げて、本発明を更に説明する。  図１は本発明の貼付製品の一実施態様を示す図（断面図）である。  図１に示すように、本発明の貼付製品１は、貼付材２と、その上側を覆う取り口テープ７とからなる。  前記貼付材２は、支持体４と該支持体４の一方側（図１では下側）の表面上に設けられた粘着剤層３とを備える粘着テープ１０と、該粘着剤層３に貼着され、且つ該支持体４より長尺である剥離ライナー５と、該支持体４の粘着剤層２側とは反対側の表面に密着されたキャリアフィルム６とを備える。  また前記取り口テープ７は、テープ支持体９と、その表面上に設けられた粘着剤層８とを備え、該テープ７は少なくとも前記キャリアフィルム６に貼着される。  図１に示すように本発明の貼付製品１は、粘着テープ１０と該粘着テープ１０の支持体４の表面に密着されたキャリアフィルム６に比べて、剥離ライナー５が長尺であること、そして粘着テープ１０及びキャリアフィルム６が剥離ライナー５と取り口テープ７で挟まれる、謂わば内包された構成を有することを特徴とする。このように剥離ライナー５を粘着テープ１０よりも長尺であるものを採用し、また取り口テープ７をキャリアフィルム６を介して粘着テープ１０に貼着することによってその厚みを擬似的に増すことにより、粘着テープ１０の寸法が小さいものであっても、粘着テープ１０を掴みやすくさせ、剥離ライナー５から粘着テープ１０を剥離しやすいものとし、また、剥離ライナー５からの剥離後には、適用箇所に対する粘着テープ１０の貼り易さが向上し、貼付材の取扱性の向上を実現する。  そして特に本発明の貼付製品１は、前記キャリアフィルム６の一方側の端部において、前記支持体４の表面には密着せずに該支持体４から剥離された状態にある非密着端部６ａが形成されていることを特徴とする。このように非密着端部６ａを設けることにより、該非密着端部６ａが端緒となり、支持体４からのキャリアフィルム６の剥がし易さが向上する。
【００１３】  図２は、本発明の貼付製品の好適な一実施態様を示す図（断面図）である。  図２に示す態様においては、前記取り口テープ７は、前記キャリアフィルム６と前記剥離ライナー５に貼着される。好ましい態様において、図２に示すように、該取り口テープ７はその中央部において前記キャリアフィルム６に貼着され、また該テープ７の両端部において、前記剥離ライナー５に貼着される。  図２に示す態様では、本発明の貼付製品１は、粘着テープ１０と該粘着テープ１０の支持体４の表面に密着されたキャリアフィルム６に比べて、剥離ライナー５並びに取り口テープ７のいずれもが長尺であること、そして粘着テープ１０及びキャリアフィルム６がそれらより長尺の剥離ライナー５と取り口テープ７で挟まれる、謂わば内包された構成を有することを特徴とする。このように剥離ライナー５並びに取り口テープ７をいずれも粘着テープ１０よりも長尺であるものを採用することにより、粘着テープ１０の寸法が小さいものであっても、取り口テープ７の端部を持ち手として掴み引き上げることで、剥離ライナー５から粘着テープ１０をより一層剥離しやすいものとし、また、剥離ライナー５からの剥離後には、取り口テープ７の端部を持ち手として掴むことで、適用箇所に対する粘着テープ１０の貼り易さがより一層向上し、貼付材の取扱性のさらなる向上を実現する。
【００１４】  本発明の貼付製品の使用方法（被貼付面である皮膚への貼付方法）は、例えば以下のとおりである。  まずキャリアフィルム６の非密着端部６ａが形成された側とは反対側（図１中のＡ側）から、取り口テープ７と粘着テープ１０（支持体４と粘着剤層３）を一緒に掴み、上方に引き上げることにより、粘着テープ１０（支持体４と粘着剤層３）を剥離ライナー５から剥離させる。取り口テープ７がキャリアフィルム６に比べて長尺なテープを採用した場合（図２）には、キャリアフィルム６の非密着端部６ａが形成された側とは反対側（図２中のＡ側）から取り口テープ７を剥離ライナー５から剥離し、そのまま取り口テープ７を剥離ライナー５よりも上方に引き上げることにより、続けて粘着テープ１０（支持体４と粘着剤層３）を剥離ライナー５から剥離させる。  続いて、粘着テープ１０の粘着剤層３を被貼付面（皮膚）に当て、貼付する。このとき取り口テープ７がキャリアフィルム６に比べて長尺なテープを採用した場合（図２）には、取り口テープ７の粘着剤層８が一時的に被貼付面（皮膚）に貼付されてもよい。  その後、キャリアフィルム６の非密着端部６ａが形成された側（図１のＢ側）から取り口テープ７とキャリアフィルム６の非密着端部６ａとを同時に掴んで被貼付面よりも上方に引き上げることにより、また取り口テープ７がキャリアフィルム６に比べて長尺なテープを採用した場合（図２）、キャリアフィルム６の非密着端部６ａが形成された側（図２のＢ側）から（取り口テープ７の粘着剤層８が被貼付面に貼付されている場合には取り口テープ７を被貼付面から剥離し、続いて）取り口テープ７を被貼付面よりも上方に引き上げることにより、取り口テープ７に貼着してなるキャリアフィルム６を粘着テープ１０の支持体４から剥離させ、被貼付面（皮膚）に粘着テープ１０（支持体４と粘着剤層３）が貼付される。  このように取り口テープ７は、剥離ライナー５から粘着テープ１０の剥離や、目的とする被貼付面への粘着テープ１０の粘着剤層３の貼付を容易にするために利用され、また、粘着テープ１０の支持体４に密着してなるキャリアフィルム６を容易に剥離するために利用される役割を果たす。
【００１５】  本発明の貼付製品１において、キャリアフィルム６からの取り口テープ７の粘着剤層８の剥離強度Ｐ１や、前記粘着テープ１０の支持体４からの前記キャリアフィルム６の剥離強度Ｐ２は適宜設定することができる。例えば上記Ｐ１をＰ２よりも大きい強度に設定すると、粘着テープ１０の粘着剤層３を被貼付面（皮膚）に貼付した後、粘着テープ１０の支持体４からキャリアフィルム６を剥離する際、取り口テープ７とキャリアフィルム６の分離がより起こり難いものとすることができる。  Ｐ１及びＰ２の剥離強度の具体的な数値範囲は特に限定されず、貼付製品の取扱性を考慮して適宜設定することができる。例えば取り口テープ７の役割を考慮し、すなわち取り口テープ７を利用して前記粘着テープ１０の支持体４から前記キャリアフィルム６を剥離する際に、キャリアフィルム６からの取り口テープ７の剥がれを防ぐ剥離強度（Ｐ１）や、或いは、前記粘着テープ１０の支持体４からのキャリアフィルム６の剥離を意図していないとき、例えば貼付製品１の保管時や、貼付製品１を使用する際にまず剥離ライナーを剥がす際などにおいて、支持体４からのキャリアフィルム６の剥がれを防ぐ剥離強度（Ｐ２）、或いは、取り口テープ７を剥がす際に支持体４を破損させず、被貼付面に貼付した粘着テープ１０が皮膚から剥がれることはない剥離強度（Ｐ２）を設定すればよい。これら取扱性を考慮した場合、Ｐ１及びＰ２の下限を例えば０．０３Ｎ／１５ｍｍ程度、上限を例えば２０Ｎ／１５ｍｍ程度とすることができる。
【００１６】  さらに、前記剥離ライナー５からの前記粘着テープ１０の粘着剤層３の剥離強度Ｐ３並びに前記剥離ライナー５からの前記取り口テープ７の粘着剤層８の剥離強度Ｐ４を、上記Ｐ１及びＰ２より小さいものとするように各剥離強度を設定することで、貼付製品１の使用時に、剥離ライナー５からよりスムーズに取り口テープ７及び粘着テープ１０を剥離し、使用に供することができる。  なお上述の剥離強度の関係、並びに剥離強度の数値範囲は、医療用製品の製造後に一般に施される滅菌処理（γ線滅菌法、電子線滅菌法、高圧蒸気滅菌法、エチレンオキサイドガス滅菌法等）を経た後においても保たれるものであることが望ましい。
【００１７】  以下、貼付製品１を構成する各層の構成について詳述する。  これら各層の構成は、被貼付面（皮膚）への付着性や、貼付材の操作性などを考慮して種々選択することが肝要である。
【００１８】＜貼付材＞  本発明の貼付製品において、上記貼付材は、支持体と該支持体の一方側の表面上に設けられた粘着剤層とを備える粘着テープと、該粘着剤層に貼着された剥離ライナーと、該支持体の粘着剤層側とは反対側の表面に密着されたキャリアフィルムを備える、少なくとも四層（キャリアフィルム、支持体、粘着材層（粘着テープは支持体と粘着材層とを備える）、剥離ライナー）の積層構造を有する。
【００１９】＜＜支持体＞＞  上記貼付材の粘着テープに使用する支持体としては、例えば、含浸紙、コート紙、上質紙、クラフト紙、和紙、グラシン紙等の紙類；ポリエチレンテレフタレートやポリブチレンテレフタレート等のポリエステルフィルム、ポリエチレンやポリプロピレン等のポリオレフィンフィルム、ポリ塩化ビニルフィルム、ポリカーボネートフィルム、ポリウレタンフィルム、セロハンフィルムなどのプラスチックフィルム；発泡体；ポリエステル、ポリウレタン、ポリエチレン、ポリプロピレン製の不織布、織布、編布等の布帛類；これら２種以上の積層体；などが挙げられる。  中でも、皮膚に密着することができ、かつ、皮膚の動きに追随することができる程度の柔軟な材質、そして長時間貼付後において皮膚のかぶれ等の発生を抑制できる材質が好ましく、中でも貼付下の皮膚の動き（伸縮箇所・屈曲面）に対する追随性に優れる点において、ポリエステルフィルム、ポリウレタンフィルム又はポリオレフィンフィルムが好ましく、特にポリオレフィンフィルム、さらにはポリエチレンフィルムを用いることが好ましい。  支持体は、伸び、引張り強さ、作業性などの物理的性質や貼付時の感触や患部の密閉性、後述する粘着剤層に含まれる各成分（例えば薬剤など）の支持体への移行等を考慮し、例えばその厚さを５μｍ〜１ｍｍの範囲で設定することができる。好ましくは支持体の厚さは５μｍ〜３００μｍ、より好ましくは１０μｍ〜１００μｍ、更に好ましくは１０μｍ〜５０μｍである。支持体の厚さが５μｍよりも小さい（薄い）と、粘着テープの強度や取り扱い性が低下して、キャリアフィルムを設けたとしても皮膚への貼付が困難になり、他の部材等との接触や皮膚の伸縮箇所や屈曲面において破れが生じたり、入浴等の水との接触によって短時間で皮膚から剥離したりすることがある。また、支持体の厚さが大きすぎる（１ｍｍより超える）と、粘着テープが、皮膚の動きに追随しにくくなり、粘着テープの辺縁部に剥がれるきっかけを形成しやすくなるため、短時間で皮膚から剥離したり、貼付中の違和感が増えたりする虞がある。  また支持体は、皮膚の伸縮箇所や屈曲面に追随することができる柔軟性と皮膚への密着性を確保することを考慮し、例えばその引張強度を１Ｎ／１５ｍｍ〜１００Ｎ／１５ｍｍ、伸びを５０％〜１５００％の範囲にて設定することが好ましい。該支持体の引張強度が、１Ｎ／１５ｍｍ未満であると強度が低く、皮膚の伸縮箇所や屈曲面における追従が困難になる。一方引張強度が１００Ｎ／１５ｍｍを超えると逆に柔軟性に欠けたものとなり、この場合にも皮膚の伸縮箇所や屈曲面における追従、特に伸長時の追従が困難となるほか、繰返し使用すると伸長時の抵抗が大きいため皮膚刺激が生じる虞がある。また、伸びが５０％未満であると、皮膚の伸縮箇所や屈曲面における追従に欠け、１５００％を超えると、皮膚の伸縮箇所や屈曲面における追従は十分であるが、伸縮や屈曲が繰り返されると皮膚への密着性が欠け、俊敏な追従が十分でなくなる。  また支持体には、粘着剤と支持体の投錨性を向上することを目的に、支持体の粘着剤層が設けられる面にサンドブラスト処理、コロナ処理等の処理を行なってもよい。  さらには皮膚貼付時に粘着テープ��目立たないようにするために、透明性の高いフィルムを採用したり、或いは、貼付時に肌の色との相違を少なくするべく、顔料、有機顔料、天然色素などの着色剤により肌色などの色調に着色してもよい。  また支持体は、帯電防止剤、紫外線防止剤などの添加剤を本発明の効果を阻害しない程度含むことができる。帯電防止剤としては、界面活性剤（アニオン性界面活性剤、カチオン性界面活性剤、非イオン性界面活性剤、両性界面活性剤）等が挙げられる。帯電防止剤により、支持体の投錨性や工程上の不具合を解消することができる。
【００２０】＜＜粘着剤層＞＞  上記貼付材の粘着テープにおける粘着剤層を形成する粘着剤としては、例えばアクリル系粘着剤、ゴム系粘着剤、ウレタン系粘着剤、シリコーン系粘着剤等を挙げることができ、これら粘着剤は一種を単独で、或いは二種以上を混合して用いてもよい。中でも、配合成分との相溶性などの観点から、ゴム系粘着剤を用いることが好適である。
【００２１】  ゴム系粘着剤は、一般に、ゴム系エラストマーと粘着付与剤と軟化剤を含有し、必要に応じて、後述する充填剤、酸化防止剤（老化防止剤）などの各種添加剤をさらに添加したものである。  ゴム系エラストマーとしては、スチレン−イソプレン−スチレン共重合体（以下、「ＳＩＳ」ということがある。）、スチレン−ブタジエン−スチレン共重合体（以下、「ＳＢＳ」ということがある。）、または、これらの水素添加物、スチレン−エチレン−プロピレン−スチレン共重合体（以下、「ＳＥＰＳ」ということがある。）、スチレン−エチレン−ブチレン−スチレン共重合体（以下、「ＳＥＢＳ」ということがある。）等の熱可塑性ブロック共重合体；エチレン−酢酸ビニル共重合体；エチレン−α−オレフィン共重合体；など種々の熱可塑性エラストマーが適用可能である。これらの中でもＳＩＳ、ＳＢＳ、ＳＥＰＳ、ＳＥＢＳ等の熱可塑性ブロック共重合体であるスチレン系熱可塑性エラストマーが、粘着性や凝集性が優れていることから好適に使用される。これらの中でも、人の皮膚に対する粘着力、他の成分との相溶性などの観点から、ＳＩＳが特に好ましい。ＳＩＳの含有量は、特に制限はないが、粘着剤層の全質量を１００質量％とするとき、好ましくは１０質量％〜５０質量％、より好ましくは１０質量％〜３０質量％である。ＳＩＳは、市販のスチレン−イソプレン−スチレンブロック共重合体を使用し得、例えばＪＳＲ  ＳＩＳ  ５００２（ＪＳＲ（株））を挙げることができる。  粘着付与剤としては、例えば、ロジン系樹脂、テルペン系樹脂、クマロン−インデン樹脂、石油系樹脂（Ｃ５系石油樹脂、Ｃ９系石油樹脂）、脂環族系石油樹脂、脂環族系水添石油樹脂、スチレン系樹脂、ジシクロペンタジエン樹脂などが挙げられる。粘着付与剤の含有量は特に制限はないが、例えば粘着剤層の全質量を１００質量％とするとき、好ましくは１５質量％〜５５質量％、より好ましくは２０質量％〜５０質量％とすることができる。  軟化剤（可塑剤）としては、流動パラフィンなどの石油系軟化剤；液状ポリイソプレン、ポリブテン、ポリイソブチレンなどの液状ゴム系軟化剤；フタル酸エステル、アジピン酸エステル等の二塩基酸エステル系可塑剤；ポリエチレングリコール、クエン酸エステル等のその他の可塑剤；などが挙げられる。中でも流動パラフィンは、ゴム系エラストマー系との相溶性に優れ、かつ、その凝集力を低下させる虞がないため、好ましく使用され得、例えば市販品として、ハイコール（登録商標、カネダ株式会社製の流動パラフィン）Ｍシリーズ等が挙げられる。粘着性の点から、これらの軟化剤の含有量は、粘着剤層の全質量を１００質量％としたとき、２５質量％〜５５質量％の範囲が好ましく、より好ましくは、３０質量％〜５０質量％である。  ゴム系粘着剤には、必要に応じて、さらに、薬物（有効成分）、酸化防止剤（抗酸化剤）、充填剤、経皮吸収促進剤、顔料、薬物安定化剤、薬物溶解性向上剤、薬物溶解性抑制剤など、通常、経皮吸収製剤の粘着剤層に配合される添加剤をさらに含有させることができる。これらの添加剤は、それぞれ単独で、または２種以上を組み合わせて使用することができる。
【００２２】  粘着剤層の厚さは特に限定されないが、例えば５μｍ〜１８０μｍ、好ましくは１０μｍ〜１５０μｍの範囲で適宜選択できる。
【００２３】＜＜剥離ライナー＞＞  上記貼付材に使用する剥離ライナー（剥離層・剥離紙ともいう）は、貼付製品を使用する際に剥がされるものであり、皮膚と接する層（粘着剤層）を使用するまで保護し、変質を防止するために設けられるものである。該剥離ライナーは、貼付製品（貼付材、貼付剤）の技術分野において慣用のものを使用することができ、例えば、ポリエステル（ポリエチレンテレフタレート、ポリブチレンテレフタレート、ポリエチレンナフタレート等）、ポリプロピレン（無延伸、延伸等）、ポリエチレン、ポリウレタン、ポリ塩化ビニル、ポリスチレン等のプラスチックフィルム；上質紙、グラシン紙、パーチメント紙、クラフト紙等の紙や合成紙；前記プラスチックフィルム、紙又は合成紙、合成繊維等にシリコーン樹脂やフッ素樹脂等の剥離性能を有する剥離剤をコーティングした剥離加工紙；アルミ箔；これらフィルム・シートを種々積層したラミネート加工紙、及び該ラミネート加工紙に剥離剤をコーティングしたラミネート剥離加工紙などの、無色又は着色したシートを挙げることができる。  これら剥離ライナーの厚さは特に限定されないが、通常１０μｍ〜１ｍｍ、例えば２０μｍ〜５００μｍ、好ましくは４０μｍ〜２００μｍの範囲である。  本発明において、剥離ライナーの大きさは、前記粘着剤層に貼着され、且つ前記支持体よりも長尺であればよい。なお剥離ライナーは、該粘着剤層の少なくとも一部に貼着されていればよく、該粘着剤層の全面に貼着されていてもよい。また、剥離ライナーは、粘着テープの粘着剤層を貼着できる長さを有していればよく、さらに好ましい態様においては後述するように粘着テープの粘着剤層に加えて取り口テープをも貼着できる長さを有していればよく、少なくとも支持体の長手方向又は短手方向など一方の方向に対して長尺であればよく、さらに支持体の長手方向及び短手方向など、支持体の寸法全体にわたって長尺とすることもできる。
【００２４】＜＜キャリアフィルム＞＞  本発明の貼付製品における貼付材において、前記支持体の、前記粘着剤層が設けられた面とは異なる面上に密着したキャリアフィルムは、粘着テープの取扱性を向上させるために設けられるものであり、例えば、ポリエステル、ポリウレタン、ポリエチレン、ポリプロピレン、アイオノマー、ポリアミド、ポリ塩化ビニル、ポリ塩化ビニリデン、エチレン酢酸ビニル共重合体、熱可塑性ポリエステル、ポリテトラフルオロエチレンなどの各種熱可塑性樹脂からなる各種フィルムを用いることが好ましい。またキャリアフィルムとして、上記各種フィルムを紙にラミネートした状態のものを用いてもよい。中でも、粘着テープの取扱性を好適なものとできる観点から、ポリエステルフィルムを用いることが好ましい。  キャリアフィルムは、粘着テープの取扱性を向上させるという目的を実現するべく、その厚みを厚いものとするか、あるいはコシの強い材質からなるものとすることが望ましい。キャリアフィルムの厚さは通常１０μｍ〜５００μｍ、好ましくは２０μｍ〜２５０μｍである。キャリアフィルムの厚さが１０μｍ未満であると粘着テープの支持体とキャリアフィルムとが十分に密着せず、また５００μｍを超えると、粘着テープの支持体との密着性は十分となり操作性は向上するが、キャリアフィルムの剛性が高まりすぎて、例えば使用時に剥離ライナーを剥がして粘着剤層を皮膚に貼付する際、皮膚への追従性に欠け、曲面部などにおける貼付性が不十分なものとなる。  またキャリアフィルムは、その引張強度が３Ｎ／１０ｍｍ〜２００Ｎ／１０ｍｍ、伸びが１０％〜１５００％の範囲内のものを採用することが好適である。引張強度が３Ｎ／１０ｍｍ未満では、十分な剛性が得られず、コシがないために粘着テープの取扱性向上の効果を十分に得られない虞がある。一方、引張強度が２００Ｎ／１０ｍｍを超えると粘着テープの取扱性は向上するが、剛性が高まりすぎて、粘着テープを貼付する際に皮膚の追従性や曲面部への貼付力が不十分となる。さらに、キャリアフィルムの伸びが１０％未満では、曲面部への貼付時などにおいて、粘着テープの支持体へのキャリアフィルムの追従が困難となる。伸びが１５００％を超えると、粘着テープの支持体への追従は十分であるが、粘着テープの支持体に比べて伸びすぎると、前記支持体とキャリアフィルムの界面で浮きが生じて、却って粘着テープの取扱性を悪化させる虞がある。
【００２５】  本発明の貼付製品における貼付材において、前記キャリアフィルムは、その一方側の端部において、粘着テープの支持体の表面に密着しておらず、該支持体から剥離した非密着端部が形成されていることを特徴とする。非密着端部を設けられた側から、取り口テープと非密着端部とを共に掴んで引き上げることにより、或いは、非密着端部を設けた側において取り口テープがキャリアフィルムの外縁よりも延長する長さを有している場合には、非密着端部を設けられた側から取り口テープのみを掴んで引き上げることにより、取り口テープに貼着してなるキャリアフィルムを粘着テープの支持体から容易に剥離させることができる。  非密着端部は、支持体からキャリアフィルムを剥離させる際にはその剥離性を向上させるような大きさ（面積）に、但し、支持体からのキャリアフィルムの剥離を意図しないとき、例えば貼付材の保管時や、貼付材の使用の際にまず剥離ライナーを剥がす際などにおいては、支持体から剥離しないような大きさ（面積）に設定され、例えば前記キャリアフィルムの全面積に対して、前記非密着端部の面積の割合を１％乃至５０％とすることが好ましい。
【００２６】＜取り口テープ＞  本発明の貼付製品において、上記取り口テープは、テープ支持体と、その表面上に設けられた粘着剤層とを備える、少なくとも二層の積層構造を有する。  取り口テープは、好ましくは粘着テープ及び粘着テープの支持体に密着してなるキャリアフィルムよりも長尺であり、特に好ましい態様において該テープは前記貼付材のキャリアフィルムに貼着し且つ前記貼付材の剥離ライナーに貼着してなる大きさを有するものであることが好ましい。  なお前記貼付材のキャリアフィルムに対する、該取り口テープの貼着位置は特に限定されず、例えば取り口テープの中央部においてキャリアフィルムに貼着してもよいし、あるいは取り口テープの中央部から外側寄りの部分においてキャリアフィルムに貼着してもよい。また、取り口テープがキャリアフィルムに加え剥離ライナーにも貼着してなる場合、前記貼付材の剥離ライナーに対する、該取り口テープの貼着位置についても特に限定されず、すなわち取り口テープの少なくとも一部が剥離ライナーに貼着していればよい。例えば取り口テープの長手方向あるいは短手方向からみて、片端部において、あるいは両端部において、剥離ライナーに貼着したものとすることができる。  好ましい態様において、該取り口テープは、その中央部において、前記貼付材のキャリアフィルムに貼着し、且つ、その両端部において、前記貼付材の剥離ライナーを貼着することができる大きさ（長さ）を有するものとすることができる。  本発明の貼付製品において取り口テープを採用することにより、剥離ライナーからの粘着テープの剥離や粘着テープの支持体からのキャリアフィルムの剥離をより容易なものとし、また粘着テープの粘着剤層を被貼付面に貼付する際の操作性をより向上させることができる。
【００２７】＜＜テープ支持体＞＞  上記取り口テープの支持体としては、上述の貼付材の粘着テープにおける支持体と同様のものを採用することができる。中でも、貼付製品の取扱性を良好なものとする観点から、ポリエチレンフィルム、ポリオレフィン不織布、環状ポリオレフィンフィルム、ポリエステルフィルムが好ましく、特にポリエチレンフィルム、ポリオレフィン不織布が好ましい。  テープ支持体は、伸び、引張り強さ、作業性などの物理的性質を考慮し、例えばその厚さを２５μｍ〜５００μｍの範囲で設定することができる。  またテープ支持体は、貼付材及び粘着テープの取扱性をよいものとするべく適度な柔軟性を有することが好ましく、例えば剛軟度が６０（ｍｍ）以上であることが好ましい。  なお前記テープ支持体の粘着剤層が設けられていない側の面には、本発明の貼付材の使用方法、例えば剥離ライナーの剥離手順や剥離方法、粘着テープの種類（配合される有効成分の種類）などを印刷等の手段により明示することができる。＜＜粘着剤層＞＞  上記取り口テープの粘着剤層としては、上述の貼付材の粘着テープにおける粘着剤層と同様のものを採用することができ、例えばアクリル系粘着剤、ゴム系粘着剤、ウレタン系粘着剤、シリコーン系粘着剤等を挙げることができ、配合成分との相溶性などの観点から、ゴム系粘着剤を用いることが好適である。  取り口テープの粘着剤層の厚さは特に限定されないが、例えば５μｍ〜１８０μｍ、好ましくは１０μｍ〜１５０μｍの範囲で適宜選択できる。
【００２８】＜貼付材の製造方法＞  本発明の貼付製品の製造方法は特に限定されず、従来の貼付製品（貼付材、貼付剤）や粘着テープにおいて通常実施される方法を適宜組み合わせて採用することができる。好ましい態様において、貼付製品製造の一工程において、上記キャリアフィルムに前記粘着テープの支持体を構成する材料を押し出すことにより支持体を製膜する工程や、粘着テープの支持体とキャリアフィルムを同時に製造する（製膜する）工程を実施し、それにより、キャリアフィルムと粘着テープ支持体の積層構造を作成することが好ましい。これらの製膜方法は公知の方法を適用することができ、例えばＴダイ法、インフレ法などのノズルからの溶融樹脂材料（支持体材料又はキャリアフィルム材料）の押出しによる方法、二種の溶融樹脂材料（支持体材料、キャリアフィルム材料）の同時押出しによる方法や、カレンダー法等による二種のフィルム（支持体、キャリアフィルム）をロールで圧延する方法等が挙げられる。
【００２９】  本発明の貼付材の好適な態様において、まず、キャリアフィルムに対して、粘着テープの支持体を構成する溶融樹脂材料を押し出すことにより、粘着テープの支持体とキャリアフィルムとの積層体を作成する。この積層体は、その一部において、出来上がりの製品（貼付材）において非密着端部が形成されるように、支持体とキャリアフィルムが密着していない部分を有する。次いで、別途、剥離紙上に粘着テープの粘着剤層の材料を塗工し、その後、該塗工面に該積層体の支持体の表面を貼り合わせ、粘着テープ並びに貼付材の構成を完成させる。  一方、取り口テープの粘着剤層の材料を、剥離紙（本発明の貼付製品の構成には含まれない）上に塗工し、その後、該塗工面にテープ支持体を貼り合わせ、該剥離紙上に取り口テープの構成を完成させる。  そして、取り口テープを剥離紙から剥離し、これを貼付材のキャリアフィルムに貼着することにより、好ましい態様においてはキャリアフィルム並びに剥離ライナーに貼着することにより、本発明の貼付製品の構成を完成させる。
【実施例】
【００３０】  以下に本発明の実施例を示し、さらに具体的に説明するが、本発明は、これらに限定されるものではなく、本発明の技術的思想を逸脱しない範囲内で種々の応用が可能である。本発明の貼付製品における貼付材及び取り口テープが備える各層の特性及び物性の測定方法は、以下のとおりである。【００３１】〔厚さ〕  取り口テープのテープ支持体及び粘着剤層、貼付材及び該貼付材が備えるキャリアフィルム、粘着テープの支持体及び粘着剤層、並びに剥離ライナーの厚さは、ダイヤルシックネスゲージを用いて測定した。【００３２】〔取扱い性〕  本発明品の取扱い性の評価は以下の方法で評価した。すなわち、本発明品を成人男女７名の被験者の頬に貼り付ける際に、＜剥離ライナーからの粘着テープの剥がし易さ（実施例及び比較例１においては取り口テープを利用しての剥がしやすさ）＞＜剥離ライナーを剥がした貼付製品（実施例及び比較例１においては取り口テープ・キャリアフィルム・粘着テープ、比較例２においてはキャリアフィルム・粘着テープ）の皮膚への追従性＞＜キャリアフィルムの剥がし易さ＞について、以下のスコアリングに照らして取扱い性を評価し、平均点が４点以上を◎（製品の取扱性に非常に優れる）、３点以上４点未満を〇（製品の取扱性に優れる）、２点以上３点未満を△（製品の取扱性に欠ける）、２点未満を×（製品の取扱性において不適格）とした。＜剥離ライナーからの粘着テープの剥がし易さ＞５  ：剥がしやすい４  ：やや剥がしやすい３  ：どちらともいえない２  ：やや剥がしにくい１  ：剥がしにくい＜剥離ライナーを剥がした貼付製品の皮膚への追従性＞５  ： 追従性が良い４  ：やや追従性が良い３  ：どちらともいえない２  ：やや追従性が悪い１  ：追従性が悪い＜キャリアフィルムの剥がし易さ＞５  ：剥がしやすい４  ：やや剥がしやすい３  ：どちらともいえない２  ：やや剥がしにくい１  ：剥がしにくい【００３３】［実施例１］＜貼付材の製造方法＞  スチレン−イソプレン−スチレンブロック共重合体〔ＪＳＲ株式会社製のＪＳＲ  ＳＩＳ５００２〕１００質量部、粘着付与樹脂であるテルペン樹脂〔ヤスハラケミカル株式会社製のＹＳレジン〕２５０質量部及び軟化剤である流動パラフィン〔カネダ株式会社製のハイコール（登録商標）Ｍ−３５２〕３５０質量部を混合し、これらをトルエン／アセトン＝７／３（質量比）混合溶媒に溶解し、固形分５７質量％の粘着剤層を形成するための塗工液を調製した。  この塗工液を、乾燥後の厚さが２０μｍとなるように、剥離ライナー（シリコーン処理したポリエチレンテレフタレートフィルム、厚さ７５μｍ）の片面にバーコーターを使用して塗布し、次いで乾燥して、剥離ライナーと粘着剤層とからなる積層体Ａを得た。  続いて、ポリエチレンテレフタレートのキャリアフィルムに対して、粘着テープの支持体を構成する溶融樹脂材料（ポリエチレン）を押し出すことにより、厚さ１５μｍのポリエチレンフィルムからなる支持体と厚さ２５μｍのポリエチレンテレフタレートからなるキャリアフィルムとからなる積層体Ｂを得た。  上記積層体Ａの粘着剤層と上記積層体Ｂの支持体が重なるように積層体Ａ及び積層体Ｂを貼り合わせた後、積層体Ａ端部におけるポリエチレンフィルムからなる支持体とキャリアフィルムを一部剥離して非密着端部を形成した。なお非密着端部は、後述する貼付製品としたときのキャリアフィルムの全面積に対して５０％未満の面積となるように形成した。この非密着端部が含まれるように、キャリアフィルムを備える粘着テープのみが２７ｍｍφの円形になるようにハーフカットした（剥離ライナーはカットせず）。【００３４】＜取り口テープの製造方法＞  スチレン−イソプレン−スチレンブロック共重合体（ＪＳＲ株式会社製のＪＳＲ  ＳＩＳ５００２）１００質量部及び粘着付与樹脂であるテルペン樹脂（ヤスハラケミカル株式会社製のＹＳレジン）２５質量部を混合し、これらをトルエン／ヘキサン＝８／２（質量比）混合溶媒に溶解し、固形分３０質量％の粘着剤層を形成するための塗工液を調製した。  この塗工液を、乾燥後の厚さが５０μｍとなるように、剥離層を形成する剥離紙（シリコーン処理したポリエチレンテレフタレートフィルム、厚さ２５μｍ）の片面にバーコーターを使用して塗布し、次いで乾燥して、剥離層と粘着剤層とからなる積層体を得た後、該粘着剤層に厚さ８０μｍのポリエチレンフィルムからなるテープ支持体を貼り合せて、取り口テープとした。【００３５】＜貼付製品の製造方法＞  前記で作成した取り口テープに付属する剥離紙を剥がし、２７ｍｍφの円形の粘着テープを覆うように、該取り口テープをキャリアフィルム（粘着テープ）及び前記粘着テープが貼着された部分の周囲（テープが貼着されていない部分）に剥離ライナーに貼り合わせた後、これを１４ｍｍ×４７ｍｍの長方形に裁断することで、図２に示す取り口テープが貼着された貼付材（貼付製品）を製造して、その取扱い性を評価した。評価した結果を表１に示す。【００３６】［実施例２］  取り口テープのテープ支持体を厚さ５０μｍのポリエチレンテレフタレートフィルムとしたことを除いて、実施例１と同様にして貼付製品を製造して、その取扱い性を評価した。評価した結果を表１に示す。【００３７】［実施例３］  取り口テープのテープ支持体を厚さ７５μｍの環状ポリオレフィンフィルムとしたことを除いて、実施例１と同様にして貼付製品を製造して、その取扱い性を評価した。評価した結果を表１に示す。【００３８】［実施例４］  取り口テープのテープ支持体を厚さ６５μｍのポリエチレンと環状ポリオレフィンのブレンドフィルム（配合比＝１：１）としたことを除いて、実施例１と同様にして貼付製品を製造して、その取扱い性を評価した。評価した結果を表１に示す。【００３９】［実施例５］  取り口テープのテープ支持体を厚さ４４０μｍのポリオレフィン不織布としたことを除いて、実施例１と同様にして貼付製品を製造して、その取扱い性を評価した。評価した結果を表１に示す。【００４０】［実施例６］  粘着テープと取り口テープを同じサイズの１４ｍｍ×２７ｍｍの略短冊形とした（図１参照）ことを除いて、実施例１と同様にして貼付製品を製造して、その取扱い性を評価した。評価した結果を表１に示す。【００４１】［比較例１］  支持体とキャリアフィルムの一部を剥離せず、すなわち非密着端部を形成しなかったことを除いて実施例１と同様にして貼付製品を製造して、その取扱い性を評価した。評価した結果を表１に示す。【００４２】［比較例２］  スチレン−イソプレン−スチレンブロック共重合体〔ＪＳＲ株式会社製のＪＳＲ  ＳＩＳ５００２〕１００質量部、粘着付与樹脂であるテルペン樹脂〔ヤスハラケミカル株式会社製のＹＳレジン〕２５０質量部及び軟化剤である流動パラフィン〔カネダ株式会社製のハイコール（登録商標）Ｍ−３５２〕３５０質量部を混合して、これらをトルエン／アセトン＝７／３（質量比）混合溶媒に溶解し、固形分５７質量％の粘着剤層を形成するための塗工液を調製した。  この塗工液を、乾燥後の厚さが２０μｍとなるように、剥離層を形成する剥離紙（シリコーン処理したポリエチレンテレフタレートフィルム、厚さ７５μｍ）の片面にバーコーターを使用して塗布し、次いで乾燥して、剥離層と粘着剤層とからなる積層体Ｅを得た。  続いて、ポリエチレンテレフタレートのキャリアフィルムに対して、粘着テープの支持体を構成する溶融樹脂材料（ポリエチレン）を押し出すことにより、厚さ１５μｍのポリエチレンフィルムからなる支持体と厚さ２５μｍのポリエチレンテレフタレートからなるキャリアフィルムとからなる積層体Ｆを得た。  上記積層体Ｅの粘着剤層と上記積層体Ｆの支持体が重なるように積層体Ｅ及び積層体Ｆを貼り合わせた後、端部のポリエチレンフィルムとキャリアフィルムを一部剥離して非密着端部を形成した。なお非密着端部は、後述する貼付材としたときのキャリアフィルムの全面積に対して５０％未満の面積となるように形成した。この非密着端部が含まれるように裁断して、１４ｍｍ×２７ｍｍの略短冊形態の貼付材（取り口テープ貼着せず、非密着端部あり）を製造し、その取扱い性を評価した。評価した結果を表１に示す。【００４３】
【表１】
2017170956.tif 000003
【００４４】  表１に示すように、実施例１乃至実施例５の貼付製品にあっては、ライナーからの剥がし易さ、及び、キャリアフィルムの剥がし易さの項目においていずれも非常に優れるものとなり、また、皮膚への追従性においても優れるものとなり、製品の取扱性についてほぼ満足できる結果となった。また粘着テープと取り口テープを同じサイズとした実施例６においても、取り口テープを貼着し、また非密着端部を設けたことにより、製品の取扱性が良好であるとの結果が得られた。  一方比較例１にあっては、取り口テープを備えていてもキャリアフィルムが剥がしにくく、製品として不適格との評価となり、比較例２にあっては、ライナーから粘着テープを剥がしにくく、取扱性に欠ける結果となった。
【符号の説明】
【００４５】１  貼付製品２  貼付材３  粘着剤層４  支持体５  剥離ライナー６  キャリアフィルム    ６ａ  非密着端部７  取り口テープ８  粘着剤層９  テープ支持体１０  粘着テープ
【図１】
2017170956.tif 000004
【図２】
2017170956.tif 000005
【国際調査報告】
2017170956.tif 000006
2017170956.tif 000007
2017170956.tif 000008
2017170956.tif 000009